(57)【要約】      （修正有）【課題】準広角で小型化に適した新規な結像レンズを提供する。【解決手段】結像レンズは、物体側から像側へ向かって順に、第１レンズ群I、正の屈折力を有する第２レンズ群II、開口絞りS、正の屈折力を有する第３レンズ群III、負の屈折力を有する第４レンズ群IV、を配してなり、第１レンズ群Iは、物体側から像側へ向かって順に、物体側に凸面を向けた正レンズと、像側に凹面を向けた負レンズを配してなり、第２レンズ群IIは、最も物体側に、物体側に凹面を向けた負レンズを有し、該負レンズよりも像側に、物体側に凸面を向けた正レンズを有し、第３レンズ群IIIは、物体側から像側へ向かって順に、像側に凸面を向けた正レンズと、負レンズとを配してなり、第４レンズ群IVは、物体側に凹面を向けた負レンズを有する。【選択図】図１
2020144271.tif 000002
【特許請求の範囲】
【請求項１】
物体側から像側へ向かって順に、第１レンズ群、正の屈折力を有する第２レンズ群、開口絞り、正の屈折力を有する第３レンズ群、負の屈折力を有する第４レンズ群、を配してなり、
前記第１レンズ群は、物体側から像側へ向かって順に、物体側に凸面を向けた正レンズと、像側に凹面を向けた負レンズを配してなり、
前記第２レンズ群は、最も物体側に、物体側に凹面を向けた負レンズを有し、該負レンズよりも像側に、物体側に凸面を向けた正レンズを有し、
前記第３レンズ群は、物体側から像側へ向かって順に、像側に凸面を向けた正レンズと、負レンズとを配してなり、  
前記第４レンズ群は、物体側に凹面を向けた負レンズを有する、結像レンズ。
【請求項２】
物体側から像側へ向かって順に、第１レンズ群、正の屈折力を有する第２レンズ群、開口絞り、正の屈折力を有する第３レンズ群、負の屈折力を有する第４レンズ群を配してなり、  
前記第１レンズ群は、物体側から像側へ向かって順に、物体側に凸面を向けた正レンズと、像側に凹面を向けた負レンズを配してなり、  
前記第２レンズ群は、最も物体側に、物体側に凹面を向けた負レンズを有し、該負レンズよりも像側に、物体側に凸面を向けた正レンズを有し、全体として負レンズ１枚・正レンズ１枚の計２枚か、負レンズ２枚・正レンズ１枚の計３枚で構成され、  
前記第３レンズ群は物体側から像側へ向かって順に、像側へ凸面を向けた正レンズと、負レンズとを配してなり、  
前記第４レンズ群は、単レンズまたは接合レンズであって、物体側に像側よりも強い屈折力の面を向けている、結像レンズ。
【請求項３】
請求項１または２記載の結像レンズであって、  
無限遠物体に合焦した状態における前記第１レンズ群の最も物体側の面から像面までの距離：Ｌ、前記無限遠物体に合焦した状態における全系の焦点距離：ｆが、条件式：  
［１］  １．０  ＜  Ｌ／ｆ  ＜  １．６  
を満足する結像レンズ。
【請求項４】
請求項１ないし３の何れか１項に記載の結像レンズであって、
前記第１レンズ群の最も物体側の面から前記第４レンズ群の最も像側の面までの距離：ＤＴおよび、前記無限遠物体に合焦した状態における全系の焦点距離：ｆが、条件式：
［２］  ０．４５  ＜  ＤＴ／ｆ  ＜  ０．８０  
を満足する結像レンズ。
【請求項５】
請求項１ないし４の何れか１項に記載の結像レンズであって、  
前記第１レンズ群における正レンズの焦点距離：ｆ１Ｐ、前記無限遠物体に合焦した状態における全系の焦点距離：ｆが、条件式、
［３］  ０．４  ＜  ｆ１Ｐ／ｆ  ＜  １．５
を満足する結像レンズ。
【請求項６】
請求項５記載の結像レンズであって、  
前記第１レンズ群における正レンズの物体側の面の曲率半径：ｒ１Ｆ、前記無限遠物体に合焦した状態における全系の焦点距離：ｆが、条件式：  
［４］  ０．２５  ＜  ｒ１Ｆ／ｆ  ＜  ０．５５
を満足する結像レンズ。
【請求項７】
請求項５または６記載の結像レンズであって、  
前記第１レンズ群における正レンズの物体側の面の曲率半径：ｒ１Ｆ、前記第１レンズ群における負レンズの像側の面の曲率半径：ｒ１Ｒが、条件式：    
［５］  ０．８＜  ｒ１Ｆ／ｒ１Ｒ  ＜  １．６  
を満足する結像レンズ。
【請求項８】
請求項１ないし７の何れか１項に記載の結像レンズであって、
前記第４レンズ群の焦点距離：ｆ４、前記第１レンズ群の焦点距離：ｆ１が、条件式：  
［６］  −４．０  ＜  ｆ４／ｆ１  ＜  ２．０
を満足する結像レンズ。  
【請求項９】
請求項１ないし８の何れか１項に記載の結像レンズであって、  
前記第１レンズ群と前記第２レンズ群の合成焦点距離：ｆ１−２、前記第３レンズ群と前記第４レンズ群の合成焦点距離：ｆ３−４が、条件式：  
［７］  ０．２５  ＜  ｆ１−２／ｆ３−４  ＜  ５．０  
を満足する結像レンズ。
【請求項１０】
請求項１ないし９の何れか１項に記載の結像レンズであって、  
前記第２レンズ群の最も物体側に配置される負レンズの物体側の面の曲率半径：ｒ２Ｆ、前記無限遠物体に合焦した状態における全系の焦点距離：ｆが、条件式：  
［８］  −１．５  ＜  ｒ２Ｆ／ｆ  ＜  −０．５  
を満足する結像レンズ。
【請求項１１】
請求項１ないし１０の何れか１項に記載の前記結像レンズを、撮影用光学系として有するカメラ。
【請求項１２】
請求項１ないし１０の何れか１項に記載の前記結像レンズを、カメラ機能部の撮影用光学系として有する携帯情報端末装置。
【発明の詳細な説明】
【技術分野】
【０００１】
この発明は、結像レンズおよびカメラおよび携帯情報端末装置に関する。  
【背景技術】
【０００２】
結像レンズによる撮影画像を撮像素子上に結像させて撮影を行うデジタルカメラが広く普及している。  
その中でも、対角長が２０ｍｍ〜４５ｍｍ程度の比較的大きな撮像素子を使用し、高性能な単焦点レンズを搭載した高画質のコンパクトカメラに対する要望が強い。更なる要望としては、高性能であることに加え、携帯性に優れる、つまり、小型であることに対するウエイトが高くなってきている。  
また近来、３５ｍｍ銀塩カメラ（いわゆるライカ版）換算の焦点距離で約４６〜３３ｍｍに相当する、半画角が２５〜３３度程度の所謂「準広角」の画角を持つ小型の結像レンズに対する要望が強まっている。  
一方で、比較的大きな撮像素子においては、オンチップマイクロレンズの改良や最適化、画像処理の進歩等によって、周辺光束がセンサに対しある程度斜めに入射しても、問題にならないような状況になってきている。具体的には、最大像高において主光線と光軸とのなす角が３０〜４０度程度であっても、センサ周辺部における輝度シェーディングや色シェーディングが十分に許容できるようなシステムを構築可能である。よって、以前ほど周辺光束の垂直入射にこだわることなく、より小型化に適したレンズタイプが選択できるようになった．
ここで、準広角の領域で小型化に適したレンズタイプとしては、略対称型や、像側に負の屈折力のレンズ群を配設したテレフォトタイプを挙げることができる。このようなタイプの結像レンズとしては特許文献１や２に記載のものが知られている。
【０００３】
しかし、特許文献１に開示された結像レンズはフィルムカメラ時代の設計であり、デジタルカメラ用として十分な結像性能を有していない。
【０００４】
また、特許文献２に開示された結像レンズはレンズ全長（レンズ系の最も物体側の面から像面までの距離）やレンズ総厚（レンズ系の最も物体側の面から最も像側の面までの距離）が大きく、小型化の面で不利である。
【発明の概要】
【発明が解決しようとする課題】
【０００５】
この発明は、準広角で小型化に適した新規な高性能の結像レンズの提供を課題とする。
【課題を解決するための手段】
【０００６】
この発明の結像レンズは、物体側から像側へ向かって順に、第１レンズ群、正の屈折力を有する第２レンズ群、開口絞り、正の屈折力を有する第３レンズ群、負の屈折力を有する第４レンズ群、を配してなり、前記第１レンズ群は、物体側から像側へ向かって順に、物体側に凸面を向けた正レンズと、像側に凹面を向けた負レンズを配してなり、前記第２レンズ群は、最も物体側に、物体側に凹面を向けた負レンズを有し、該負レンズよりも像側に、物体側に凸面を向けた正レンズを有し、前記第３レンズ群は、物体側から像側へ向かって順に、像側に凸面を向けた正レンズと、負レンズとを配してなり、前記第４レンズ群は、物体側に凹面を向けた負レンズを有する。
【発明の効果】
【０００７】
この発明によれば、準広角で小型化に適した新規な高性能の結像レンズを実現できる。
【図面の簡単な説明】
【０００８】
【図１】実施例１の結像レンズの構成を示す断面図である。
【図２】実施例２の結像レンズの構成を示す断面図である。
【図３】実施例３の結像レンズの構成を示す断面図である。
【図４】実施例４の結像レンズの構成を示す断面図である。
【図５】実施例５の結像レンズの構成を示す断面図である。
【図６】実施例６の結像レンズの構成を示す断面図である。
【図７】実施例７の結像レンズの構成を示す断面図である。
【図８】実施例８の結像レンズの構成を示す断面図である。
【図９】実施例９の結像レンズの構成を示す断面図である。
【図１０】実施例１０の結像レンズの構成を示す断面図である。
【図１１】実施例１の結像レンズの収差曲線図である。
【図１２】実施例２の結像レンズの収差曲線図である。
【図１３】実施例３の結像レンズの収差曲線図である。
【図１４】実施例４の結像レンズの収差曲線図である。
【図１５】実施例５の結像レンズの収差曲線図である。
【図１６】実施例６の結像レンズの収差曲線図である。
【図１７】実施例７の結像レンズの収差曲線図である。
【図１８】実施例８の結像レンズの収差曲線図である。
【図１９】実施例９の結像レンズの収差曲線図である。
【図２０】実施例１０の結像レンズの収差曲線図である。
【図２１】携帯情報端末装置の実施の１形態を説明する外観図である。
【図２２】図２１の携帯情報端末装置のシステム図である。
【発明を実施するための形態】
【０００９】
図１ないし図１０に、結像レンズの実施の形態を１０例示す。これら実施の形態は、図示の順序で後述する具体的な実施例１ないし実施例１０に対応する。  
図１ないし図１０において、図の左方が物体側、右方が像側である。  
繁雑を避けるため、図１ないし図１０において符号を共通化する。図における符号Ａｘは光軸を示し、符号Ｉは第１レンズ群、符号ＩＩは第２レンズ群、符号Ｓは開口絞り、符号ＩＩＩは第３レンズ群、符号ＩＶは第４レンズ群を示す。  
符号Ｆが示すのは「透明平行平板」であり、光学ローパスフィルタ・赤外カットフィルタ等の各種フィルタや、ＣＭＯＳセンサ等の撮像素子のカバーガラス（シールガラス）を想定したものであり、これらに「光学的に等価」な透明平行平板として示している。  
符号Ｉｍは像面を示し、撮像素子が用いられるときはその受光面が像面Ｉｍに合致する。
【００１０】
この発明の結像レンズは、以下の如き「基本構成」を有する。  
即ち、物体側から像側へ向かって順に、第１レンズ群Ｉ、正の屈折力を有する第２レンズ群ＩＩ、開口絞りＳ、正の屈折力を有する第３レンズ群ＩＩＩ、負の屈折力を有する第４レンズ群ＩＶ、を配してなる４レンズ群構成であり、第１レンズ群Ｉは、物体側から像側へ向かって順に、物体側に凸面を向けた正レンズと、像側に凹面を向けた負レンズを配してなる。  
第２レンズ群ＩＩは、最も物体側に、物体側に凹面を向けた負レンズを有し、該負レンズよりも像側に、物体側に凸面を向けた正レンズを有する。  
第３レンズ群ＩＩＩは、物体側から像側へ向かって順に、像側に凸面を向けた正レンズと、負レンズとを配してなる。  
第４レンズ群ＩＶは、物体側に凹面を向けた負レンズを有する。
【００１１】
さらに付言すると、以下の構成が可能である。  
第２レンズ群ＩＩは、上記の如く、最も物体側に「物体側に凹面を向けた負レンズ」を有し、該負レンズよりも像側に「物体側に凸面を向けた正レンズ」を有するが、全体として負レンズ１枚・正レンズ１枚の計２枚か、負レンズ２枚・正レンズ１枚の計３枚で構成することが可能である。  
即ち、図１ないし図７、図１０に示す例では、第２レンズ群ＩＩは全体として「負レンズ１枚・正レンズ１枚の計２枚」で構成され、図８及び図９に示す例では、第２レンズ群ＩＩは全体として「負レンズ２枚・正レンズ１枚の計３枚」で構成されている。
【００１２】
第４レンズ群ＩＶは「単レンズまたは接合レンズ」として構成することが可能であり、物体側に「像側よりも強い屈折力の面」が向けられる。図１ないし図９に示す例では、第４レンズ群ＩＶは「単レンズ」で構成され、図１０に示す例では、第４レンズ群ＩＶは「接合レンズ」である。何れの場合も、第４レンズ群ＩＶの「物体側の面の屈折力」は「像側の面の屈折力」より大きい。  
この場合における「像側よりも強い屈折力の面」は、少なくとも近軸的に「物体側の屈折力が像側の屈折力よりも強い面」である。図６に示す例では、第４レンズ群ＩＶは単レンズであるが、その両面は非球面であって、曲率半径がレンズ系方向に変化している。  
この例では、第４レンズＩＶの両面の屈折力は、光軸近傍の近軸領域で「物体側の面の方が像側の面よりも」大きい。
【００１３】
上記の如き構成を有する結像レンズは、以下にあげる条件式［１］ないし［８］のうち、条件式［１］ないし［３］、［６］ないし［８］の任意の１以上を満足することが好ましい。  
また、条件式［３］を満足する場合には、併せて、条件式［４］、［５］の少なくとも一方を満足することが好ましい。
【００１４】
［１］  １．０  ＜  Ｌ／ｆ  ＜  １．６  
［２］  ０．４５  ＜  ＤＴ／ｆ  ＜  ０．８０  
［３］  ０．４  ＜  ｆ１Ｐ／ｆ  ＜  １．５
［４］  ０．２５  ＜  ｒ１Ｆ／ｆ  ＜  ０．５５
［５］  ０．８＜  ｒ１Ｆ／ｒ１Ｒ  ＜  １．６  
［６］  −４．０  ＜  ｆ４／ｆ１  ＜  ２．０
［７］  ０．２５  ＜  ｆ１−２／ｆ３−４  ＜  ５．０  
［８］  −１．５  ＜  ｒ２Ｆ／ｆ  ＜  −０．５                    。
【００１５】
これらの条件式におけるパラメータにおける各記号の意味は以下の通りである。  
Ｌ：無限遠物体に合焦した状態における第１レンズ群の最も物体側の面から像面までの距離
ｆ：無限遠物体に合焦した状態における全系の焦点距離  
ＤＴ：第１レンズ群の最も物体側の面から第４レンズ群の最も像側の面までの距離  
ｆ１Ｐ：第１レンズ群における正レンズの焦点距離  
ｒ１Ｆ：第１レンズ群における正レンズの物体側の面の曲率半径  
ｒ１Ｒ：第１レンズ群における負レンズの像側の面の曲率半径  
ｆ１：第１レンズ群の焦点距離  
ｆ４：第４レンズ群の焦点距離  
ｆ１−２：第１レンズ群と第２レンズ群の合成焦点距離    
ｆ３−４：第３レンズ群と第４レンズ群の合成焦点距離  
ｒ２Ｆ：第２レンズ群の最も物体側に配置される負レンズの物体側の面の曲率半径    。
【００１６】
上述の如く、第２レンズ群ＩＩ、第３レンズ群ＩＩＩは共に正の屈折力を有し、第４レンズ群ＩＶは負の屈折力を有する。第１レンズ群と第４レンズ群とは、条件式［６］を満たし得るものであるから、第１レンズ群は「正の屈折力と負の屈折力」の何れをも取り得る。
【００１７】
この発明の結像レンズは「略対称型よりも、ややテレフォト寄りの特性」を備えた準広角レンズであり、従来にない「適切なレンズ構成とパワー配置」にり、レンズ全長・レンズ総厚・レンズ径の全てにおいて小型化を達成できる。  
この発明の「結像レンズ」は、上記の如く、絞りＳの前後に正のエレメント、その外側に負のエレメントを配置した「略対称型のパワー配置」で「比較的広画角化に適したタイプ」を基本とし、コマ収差や歪曲収差、倍率色収差の補正を容易としている。  
さらに、第２レンズ群の正レンズの「物体側の面」と、第３レンズ群の正レンズの「像側の面」を共に凸面として対向させると共に、第１レンズ群における「負レンズの像側の面」と、第４レンズ群の「負レンズ（エレメント）の物体側の面」の双方を共に凹面として対向させることにより、上述した収差の補正をより高いレベルで実現することを可能としている。
【００１８】
上述した構成のうち「第２レンズ群の最も物体側に配置される負レンズの物体側の面を凹面」とすることには、第１レンズ群の小径化の実現と共に「下光線のコマ収差補正」を容易とする効果があり、小型化と高性能化の両立にとって有利なものとなっている。
【００１９】
一方、準広角の結像レンズとして小型化を有効に達成するためには、略対称型のパワー配置を崩して「所謂テレフォトタイプに近いパワー配置」を付与することが必要であるが、この発明の結像レンズにおいては「レンズ系の最も物体側に比較的パワーの強い正レンズを配する一方、レンズ系の最も像側には第３レンズ群の負レンズと負の第４レンズ群を連続して配置することにより、小型化にとって望ましいパワー配置を実現している。
【００２０】
加えて、射出瞳位置をコントロールし、周辺像高における主光線の像面への入射角を適切な状態に設定することを可能としている。  
上述の如く、この発明の撮影レンズは、絞りＳより物体側の第１レンズ群Ｉ・第２レンズ群ＩＩは「全体として４枚ないし５枚」でなり、絞りＳより像側の第３レンズ群ＩＩＩ・第４レンズ群ＩＶは「全体として３枚ないし４枚」であり、比較的「簡易な構成」とすることが可能でありながら、各部の構成が目的に対して最適化されることにより、総合的に従来にはない効果を生じて大口径・小型・高性能を併せて実現できる。
【００２１】
以下、各条件式の意義を説明する。  
条件式［１］は、この発明の効果が最も良く発揮される結像レンズのレンズ全長（レンズ系の最も物体側の面から像面までの距離）を規制するものである。  
条件式［２］は、この発明の効果が最も良く発揮される結像レンズのレンズ全厚（レンズ系の最も物体側の面から最も像側の面までの距離）を規制するものである。  
この発明の結像レンズは、レンズ系の最も物体側に比較的パワーの強い正レンズを配して「小型化と高性能化」の実現を意図している。  
条件式［３］が下限値の０．４以下であると「対称型よりもテレフォトの特性」が強くなって主点が物体側へ移動し、レンズ全長は短くなるが「各種収差補正の自由度」が制限されたり、製造誤差感度が高まったりし易い。  
条件式［３］が上限値の１．５以上であると、必要なテレフォトの特性を持たせることが困難となって主点が像側へ移動し、レンズ全長の短縮が難しくなる。
【００２２】
条件式［３］が満足されることを条件として、満足することが好ましい条件式［４］が下限値の０．２５以下であると、第１レンズ群における正レンズの物体側の面の屈折力が過大となり、当該面で過剰な収差が発生して補正しきれない状態となり易く、内向性のコマ収差が残存したり、中間像高で非点収差が発生したりし易い。  
また、条件式［４］が上限値の０．５５以上であると、第１レンズ群における正レンズの物体側の面の屈折力が過小となり、テレフォトの特性が不足し「レンズ全長の短縮」に不利となり易い。この状態で無理にレンズ全長を短縮すると、外向性のコマ収差が残存したり、周辺像高で非点収差が発生したりし易い。
【００２３】
条件式［５］のパラメータを構成する第１レンズ群の「最も物体側の面と最も像側の面の曲率半径比」の好ましい範囲を定めるものである。  
第１レンズ群を構成する正レンズの物体側の面と、第１レンズ群を構成する負レンズの像側の面は「互いに適切に収差をやり取り」し、レンズ系全体の収差補正に寄与する。  
条件式［５］が下限値の０．８以下であると、球面収差が補正過剰となったり、内向性のコマ収差が発生しやすくなったりし易い。  
条件式［５］が上限値の１．５以上であると、逆に球面収差が補正不足となったり、外向性のコマ収差が発生し易くなったりし易い。
【００２４】
この発明の結像レンズは「最大像高に達する主光線の像面への入射角を半画角よりやや大きくする」ことにより小型化・高性能化を可能としている。  
条件式［６］が下限値の−４．０以下であると射出瞳が像側へ移動して周辺像高における主光線の像面への入射角が大きくなり易い。条件式［６］が上限値の２．０以上であると射出瞳が物体側へ移動して第４レンズ群が大径化し易くなる。
【００２５】
条件式［７］は、絞りＳの前後における屈折力を良好にバランスさせるものである。  
条件式［７］が下限値の０．２５以下であると、絞りＳよりも前側の屈折力が相対的に過大となり歪曲収差が周辺部でプラスに曲がり易くなったり、内向性のコマ収差が発生し易くなったり、短波長の倍率色収差が画面内側へ向かって発生し易くなったりする。  
条件式［７］が上限値の５．０以上であると、絞りＳよりも後側の屈折力が相対的に過大となりマイナスの歪曲収差が発生し易くなったり、外向性のコマ収差が発生し易くなったり、短波長の倍率色収差が画面外側へ向かって発生し易くなったりし易い。
【００２６】
条件式［８］が下限値の−１．５以下であると、下光線のコマ収差（コマフレア）が中間像高でプラス方向に発生し易くなったり、非点収差が発生し易くなったりし易い。さらに、第１レンズ群を通過する軸外光線が高い位置を通るようになり、第１レンズ群が大径化し易い。  
条件式［８］が上限値の−０．５以上であると、下光線のコマ収差（コマフレア）が中間像高でマイナス方向に発生し易くなったり、球面収差が補正過剰になり易くなったりし易い。
【００２７】
この発明の結像レンズは、さらに以下の条件式を満足することが好ましい。  
［９］  ０．４０＜  Ｙ’／ｆ  ＜  ０．７０    
［１０］  ０．５０  ＜  ｔａｎ（θＰｍａｘ）  ＜  ０．８５  
これらの条件式における、Ｙ’は「最大像高」、θＰｍａｘは「最大像高に達する主光線の像面への入射角」である。
【００２８】
条件式［８］は、この発明の効果が最も良く発揮される結像レンズの画角を規制するものである。  
条件式［９］は、この発明の効果が最も良く発揮される結像レンズの軸外光線の像面への入射角を規制するものである。
【００２９】
この発明の結像レンズの構成として「第２レンズ群の最も像側の面」と「第３レンズ群の最も物体側の面（第３レンズ群における正レンズの物体側の面）」とは、共に凸面であることが好ましい。  
この発明の結像レンズは、上述の如く「略対称型のパワー配置」を基本としているが、「絞りを挟んで対向する２面」についても略対称型のパワー配置を踏襲することにより、コマ収差や歪曲収差、倍率色収差を「より高いレベル」で補正することが可能となる。
【００３０】
具体的には以下の条件式を満足するのが良い。  
［１１］  −１．６  ＜  ｒ３Ｆ／ｒ２Ｒ  ＜  ０．０  
ｒ３Ｆは「第３レンズ群の最も物体側の面の曲率半径」、ｒ２Ｒは「第２レンズ群の最も像側の面の曲率半径」である。
【００３１】
第３レンズ群が有する負レンズの像側の面は凹面であることが好ましい。同じく凹面である第２レンズ群の最も物体側の面と対向させることにより、各種収差補正のバランスを取ることができる。
【００３２】
また、第３レンズ群を構成する負レンズの像側の面の曲率半径：ｒ３Ｒは、以下の条件式を満足することが好ましい。
【００３３】
［１２］  ０．７  ＜  ｒ３Ｒ／ｆ  ＜  ２．５  
第４レンズ群の「像側の面」は凸面であることが、同じく凸面である第１レンズ群を構成する正レンズの物体側の面と対向させて各種収差補正のバランスを取る上で好ましい。
【００３４】
第４レンズ群の像側の凸面の曲率半径：ｒ４Ｒは、具体的には以下の条件式を満足することが望ましい。  
［１３］  −１．８  ＜  ｒ４Ｒ／ｆ  ＜  −０．５  
また、第４レンズ群の物体側の面は凹面であるが、第１レンズ群を構成する負レンズの像側面と対向させて各種収差補正のバランスを良好に取るためには、その曲率半径：ｒ４Ｆが、以下の条件式を満足することが望ましい。  
［１４］  −１．２  ＜  ｒ４Ｆ／ｆ  ＜  −０．３                      。
【００３５】
さらに、第１レンズ群の正レンズは、その材質の屈折率：ｎｄ１Ｐが、以下の条件式を満足するのが良い。  
［１５］  ｎｄ１Ｐ  ＞  １．７５  
条件式［１５］が下限値の１．７５以下であると、像面湾曲が補正不足になり易くなったり、非点収差が残存し易くなったりし易い。なお、条件式［１５］の上限は，現存する光学ガラスの屈折率範囲やコストを考慮して、概ね２．０ないし２．１である。  
第２レンズ群を構成する正レンズは、その材質の屈折率：ｎｄ２Ｐが、以下の条件式を満足するのが良い。  
［１６］  ｎｄ２Ｐ  ＞  １．７５  
条件式［１６］が下限値の１．７５以下であると、像面湾曲が補正不足になり易くなったり、中間像高に内向性のコマ収差が残存し易くなったりして易い。条件式［１６］の上限は、現存する光学ガラスの屈折率範囲やコストを考慮して、概ね２．０ないし２．１である。  
より良好な収差補正のためには「第１レンズ群および第４レンズ群に非球面を設ける」ことが好ましい。非点収差やコマ収差、歪曲収差の補正に大きな効果がある。
【００３６】
「実施例」  
以下、結像レンズの具体的な実施例を１０例挙げる。  
前述の如く、これらの実施例１ないし実施例１０は、図１ないし図１０に示したレンズ構成の具体的な数値例である。  
実施例１ないし実施例１０において、最大像高は１４．２ｍｍである。  
図１ないし図１０に示したように、結像レンズの像側における像面Ｉｍの物体側にフィルタＦが配置されている。前述の如く、フィルタＦは、光学ローパスフィルタ・赤外カットフィルタ等の各種フィルタやＣＭＯＳセンサ等の受光素子のカバーガラス（シールガラス）を想定し、これらに「光学的に等価」な透明平行平板として示している。  
以下に示す各実施例とも、透明平行平板Ｆは、その像側面が結像面Ｉｍから物体側に約０．７ｍｍの位置となるよう配設してあるが、もちろんその限りではなく、また、単一でなく複数枚に分割されていても良い。
【００３７】
実施例における記号の意味は以下の通りである。  
ｆ：全系の焦点距離  
Ｆ：Ｆナンバ  
ω：半画角  
Ｒ：曲率半径  
Ｄ：面間隔  
Ｎｄ：屈折率  
νd：アッベ数  
Ｐｇ，Ｆ：部分分散比（Ｐｇ，Ｆ＝（ｎｇ−ｎＦ）／（ｎＦ−ｎＣ））
Ｋ：非球面の円錐定数  
Ａ４：４次の非球面係数  
Ａ６：６次の非球面係数  
Ａ８：８次の非球面係数  
Ａ１０：１０次の非球面係数  
Ａ１２：１２次の非球面係数  
Ａ１４：１４次の非球面係数                              。
【００３８】
「非球面」は、近軸曲率（近軸曲率半径の逆数）：Ｃ、光軸からの高さ：Ｈ、円錐定数：Ｋ、非球面係数：Ａｉ（ｉ＝２〜１４）を用いて、周知の次式で表現される。  
Ｘ＝ＣＨ２／[１＋√（１−（１＋Ｋ）Ｃ２Ｈ２）]
＋Ａ４・Ｈ４＋Ａ６・Ｈ６＋Ａ８・Ｈ８＋Ａ１０・Ｈ１０＋Ａ１２・Ｈ１２＋Ａ１４・Ｈ１４      。
【００３９】
「実施例１」
実施例１は、図１にレンズ構成を示したものである。  
f = 25.99,F = 2.86,ω = 28.3    
面番号      R          D       Nd         νd     Pg,F     硝種名  
01        10.596      2.71    1.83481    42.74  0.5648    OHARA S-LAH55VS  
02        17.116      0.72      
03        28.454      0.80    1.76182    26.52  0.6136    OHARA S-TIH14  
04        10.633      2.07      
05       -22.521      0.60    1.64769    33.79  0.5938    OHARA S-TIM22  
06        18.475      0.20      
07*       11.864      3.20    1.83220    40.10  0.5714    OHARA L-LAH90 
08*      -29.600      1.20      
09         絞り       1.20    
10        39.863      2.28    1.88300    40.76  0.5667    OHARA S-LAH58
11       -10.490      0.60    1.62588    35.70  0.5893    OHARA S-TIM1 
12        36.982      0.92    
13*      -18.000      1.00    1.90270    31.00  0.5943    OHARA L-LAH86  
14*      -30.642     14.896    
15          ∞        1.40    1.51633    64.14            各種フィルタ 
16          ∞                                                          。
「非球面データ」  
非球面（面番号に「＊印」を付けた面）のデータは以下の通りである。  
非球面;第7面  
K = 0.0,A4 = -1.56039×10-4,A6 = -7.36942×10-7,A8 = -1.50428×10-8 
非球面;第8面  
K = 0.0,A4 = 1.69456×10-5,A6 = -1.07652×10-6
非球面;第13面
K = 0.0,A4 = 3.47223×10-4,A6 = -6.44790×10-6
非球面;第14面  
K = 0.0,A4 = 4.12542×10-4,A6 = -3.95877×10-6,A8 = -2.65584×10-8,
A10 = 1.00641×10-9                                      。
【００４０】
「条件式のパラメータの値」
各条件式のパラメータの値は以下の通りである。  
[1]  L / f = 1.327    
[2]  DT / f = 0.673  
[3]  f1P / f = 1.078    
[4]  r1F / f = 0.408    
[5]  r1F / r1R = 0.997    
[6]  f4 / f1 = 0.045  
[7]  f1-2 / f3-4 = 0.372  
[8]  r2F / f = -0.866  
[9]  Y’ / f = 0.546  
[10]  tan(θPmax ) = 0.691  
[11]  r3F / r2R = -1.347  
[12]  r3R / f = 1.423  
[13]  r4R / f = -1.179    
[14]  r4F / f = -0.693  
[15]  nd1P = 1.835  
[16]  nd2P = 1.832                                                。
【００４１】
「実施例２」
実施例２は、図２にレンズ構成を示したものである。  
f = 26.05,F = 2.87,ω = 28.3    
面番号      R        D       Nd        νd      Pg,F     硝種名
01*       10.017    2.97   1.83220    40.10    0.5714   OHARA L-LAH90  
02        21.619    0.10   
03        14.655    0.80   1.78470    26.29    0.6135   OHARA S-TIH23 
04         7.523    2.30   
05       -34.143    0.60   1.64769    33.79    0.5938   OHARA S-TIM22 
06        10.509    2.03   1.88300    40.76    0.5667   OHARA S-LAH58 
07      -198.626    1.20  
08        絞り      1.21    
09        31.757    2.26   1.88300    40.76    0.5667    OHARA S-LAH58  
10       -13.329    0.60   1.62588    35.70    0.5893    OHARA S-TIM1 
11        48.214    0.84   
12*      -18.000    1.00   1.90270    31.00    0.5943    OHARA L-LAH86  
13*      -20.113   14.890   
14         ∞       1.40   1.51633    64.14              各種フィルタ  
15         ∞                                                          。
【００４２】
「非球面データ」
非球面のデータは以下の通りである。  
非球面;第1面  
K = 0.0,A4 = -3.54224×10-5,A6 = -4.66804×10-8,A8 = -1.10660×10-8,  
A10 = 8.24552×10-11,A12 = -1.19318×10-12
非球面;第12面  
K = 0.0,A4 = 3.45703×10-4
非球面;第13面  
K = 0.0,A4 = 3.69614×10-4,A6 = -4.24378×10-7,A8 = 5.77254×10-8,  
A10 = -1.22381×10-9                                          。
【００４３】
「条件式のパラメータの値」
各条件式のパラメータの値は以下の通りである。  
[1]  L / f = 1.267  
[2]  DT / f = 0.614    
[3]  f1P / f = 0.771    
[4]  r1F / f = 0.384  
[5]  r1F / r1R = 1.332  
[6]  f4 / f1 = -2.589  
[7]  f1-2 / f3-4 = 1.760  
[8]  r2F / f = -1.310  
[9]  Y’ / f = 0.545  
[10]  tan(θPmax ) = 0.682  
[11]  r3F / r2R = -0.160  
[12]  r3R / f = 1.850  
[13]  r4R / f = -0.772  
[14]  r4F / f = -0.691  
[15]  nd1P = 1.832  
[16]  nd2P = 1.883                                      。  
「実施例３」
実施例３は、図３にレンズ構成を示したものである。  
f = 26.05,F = 2.87,ω = 28.3  
面番号    R        D      Nd        νd      Pg,F     硝種名 
01*      9.247    2.91   1.85400   40.38    0.5688   OHARA L-LAH85V 
02      24.908    0.70   1.78880   28.43    0.6009   OHARA S-NBH58 
03       7.360    2.01   
04     -22.769    0.70   1.63980   34.47    0.5922   OHARA S-TIM27
05      61.496    0.10   
06      17.395    2.32   1.88300   40.76    0.5667   OHARA S-LAH58 
07    -113.651    1.20    
08       絞り     1.20    
09      24.522    2.57   1.75500    52.32    0.5667   OHARA S-LAH58 
10      -9.139    0.60   1.53172    48.84    0.5631   OHARA S-TIL6 
11      33.044    1.15     
12*    -18.000    1.00   1.90270    31.00    0.5943   OHARA L-LAH86 
13*    -26.676   14.378    
14       ∞       1.40   1.51633    64.14             各種フィルタ 
15       ∞                                                            。
【００４４】
「非球面データ」
非球面のデータは以下の通りである。  
非球面;第1面  
K = 0.0,A4 = -2.63557×10-5,A6 = -6.86204×10-7,A8 = 9.51319×10-9,  
A10 = -2.99238×10-10
非球面;第13面  
K = 0.0,A4 = 1.30975×10-4,A6 = -3.75252×10-7,A8 = 5.96446×10-8,  
A10 = -8.12812×10-10                                                。
【００４５】
「条件式のパラメータの値」
各条件式のパラメータの値は以下の通りである。  
[1]  L / f = 1.264    
[2]  DT / f = 0.632  
[3]  f1P / f = 0.609  
[4]  r1F / f = 0.355  
[5]  r1F / r1R = 1.256  
[6]  f4 / f1 = -0.146  
[7]  f1-2 / f3-4 = 1.296  
[8]  r2F / f = -0.874  
[9]  Y’ / f = 0.545  
[10]  tan (θPmax ) = 0.672  
[11]  r3F / r2R = -0.216  
[12]  r3R / f = 1.268  
[13]  r4R / f = -1.024  
[14]  r4F / f = -0.691  
[15]  nd1P = 1.854  
[16]  nd2P = 1.883                                                  。
【００４６】
「実施例４」
実施例４は、図４にレンズ構成を示したものである。  
f = 28.00,F = 2.88,ω = 26.6  
面番号     R        D      Nd       νd     Pg,F     硝種名  
01*      9.447    2.95   1.85400   40.38   0.5688   OHARA L-LAH85V
02      30.602    0.70   1.74077   27.79   0.6095   OHARA S-TIH13
03       7.393    2.11   
04     -18.010    0.70   1.60342   38.03   0.5922   OHARA S-TIM5 
05      56.812    0.10   
06      18.661    2.01   1.83481   42.74   0.5648   OHARA S-LAH55VS
07     -35.218    1.22    
08       絞り     1.20    
09      34.107    2.70   1.65160    58.55   0.5425   OHARA S-LAL7 
10      -7.705    0.60   1.51823    58.90   0.5457   OHARA S-NSL3 
11      59.118    1.19     
12     -14.554    1.00   1.90270    31.00   0.5943   OHARA L-LAH86  
13*    -19.650   15.508    
14        ∞      1.40   1.51633    64.14            各種フィルタ 
15        ∞                                                         。
【００４７】
「非球面データ」
非球面のデータは以下の通りである。  
非球面;第1面   
K = 0.0,A4 = -2.52197×10-5,A6 = -7.06205×10-7,A8 = 1.01999×10-8,  
A10 = -2.76954×10-10 
非球面;第13面  
K = 0.0,A4 = 9.97548×10-5,A6 = -2.74503×10-7,A8 = 4.05280×10-8,  
A10 = -4.40120×10-10                                      。
【００４８】
「条件式のパラメータの値」
各条件式のパラメータの値は以下の通りである。  
[1]  L / f = 1.217  
[2]  DT / f = 0.589  
[3]  f1P / f = 0.537  
[4]  r1F / f = 0.337  
[5]  r1F / r1R = 1.278  
[6]  f4 / f1 = -0.296  
[7]  f1-2 / f3-4 = 0.530  
[8]  r2F / f = -0.643  
[9]  Y’ / f = 0.507  
[10]  tan(θPmax ) = 0.629  
[11]  r3F / r2R = -0.968  
[12]  r3R / f = 2.111  
[13]  r4R / f = -0.702  
[14]  r4F / f = -0.520  
[15]  nd1P = 1.854  
[16]  nd2P = 1.835                                        。
【００４９】
「実施例５」
実施例５は、図５にレンズ構成を示したものである。  
f = 26.05,F = 2.88,ω = 28.3  
面番号     R         D       Nd       νd     Pg,F     硝種名  
01*     10.626     3.50    1.85400   40.38   0.5688   OHARA L-LAH85V 
02      55.319     0.70    1.72825   28.46   0.6077   OHARA S-TIH10 
03       7.914     2.33    
04     -28.150     0.70    1.64769   33.79   0.5938   OHARA S-TIM22  
05      28.150     0.10    
06      16.113     2.22    1.90525   35.04   0.5848   OHARA S-LAH93 
07     -94.335     1.20   
08       絞り      1.20   
09      25.481     2.42    1.72916    54.09   0.5448   OHARA S-LAL19 
10      -8.325     0.60    1.54814    45.78   0.6030   OHARA S-TIM35 
11      31.988     1.04   
12     -18.000     1.00    1.90270   31.00   0.5943   OHARA L-LAH86 
13*    -22.450    14.638  
14       ∞        1.40    1.51633   64.14            各種フィルタ
15       ∞                                                            。
【００５０】
「非球面データ」
非球面のデータは以下の通りである。  
非球面;第1面
K = 0.0,A4 = -2.62422×10-5,A6 = -4.81459×10-7,A8 = 3.20423×10-9,  
A10 = -1.16410×10-10 
非球面;第13面  
K = 0.0,A4 = 1.22749×10-4,A6 = -2.98756×10-7,A8 = 6.89210×10-8,  
A10 = -9.94935×10-10                                        。
【００５１】
「条件式のパラメータの値」
各条件式のパラメータの値は以下の通りである。  
[1]  L / f = 1.295  
[2]  DT / f = 0.653  
[3]  f1P / f = 0.571  
[4]  r1F / f = 0.408  
[5]  r1F / r1R = 1.343  
[6]  f4 / f1 = -0.372  
[7]  f1-2 / f3-4 = 1.252  
[8]  r2F / f = -1.080  
[9]  Y’ / f = 0.545  
[10]  tan(θPmax ) = 0.688  
[11]  r3F / r2R = -0.270  
[12]  r3R / f = 1.228  
[13]  r4R / f = -0.862  
[14]  r4F / f = -0.691  
[15]  nd1P = 1.854  
[16]  nd2P = 1.905                                                。
【００５２】
「実施例６」
実施例６は、図６にレンズ構成を示したものである。  
f = 24.68,F = 2.88,ω = 29.6  
面番号      R         D      Nd        νd     Pg,F     硝種名
01*       10.669     2.30   1.82080   42.71   0.5642   HOYA M-TAFD51
02        18.250     0.70   1.67300   38.15   0.5757   OHARA S-NBH52V
03         8.706     2.08       
04       -24.184     0.70   1.67270   32.10   0.5988   OHARA S-TIM25 
05         9.234     2.54   1.88300   40.69   0.5673   HIKARI J-LASF08A
06       -65.279     1.20   
07        絞り       1.20  
08        18.050     3.15   1.88300   40.69   0.5673   HIKARI J-LASF08A
09       -20.928     0.10   
10       -35.679     0.60   1.68893   31.07   0.6004   OHARA S-TIM28 
11        35.679     0.94   
12*      -17.345     1.00   1.68893   31.16   0.6037   HOYA M-FD80
13*      -37.142    14.893      
14         ∞        1.40   1.51633    64.14             各種フィルタ
15         ∞                                                         。
【００５３】
「非球面データ」
非球面のデータは以下の通りである。  
非球面;第1面  
K = 0.0,A4 = -3.29990×10-5,A6 = -6.63571E×10-7,A8 = 3.34066×10-9,  
A10 = -2.16938×10-10 
非球面;第12面  
K = 0.0,A4 = 6.59150×10-4,A6 = -9.07297×10-6 
非球面;第13面  
K = 0.0,A4 = 8.07148×10-4,A6 = -7.24676×10-6,A8 = -1.28617×10-9,  
A10 = 1.09784×10-10                                              。
【００５４】
「条件式のパラメータの値」
各条件式のパラメータの値は以下の通りである。  
[1]  L / f = 1.358  
[2]  DT / f = 0.669
[3]  f1P / f = 1.116  
[4]  r1F / f = 0.432  
[5]  r1F / r1R = 1.225  
[6]  f4 / f1 = -0.100  
[7]  f1-2 / f3-4 = 3.573  
[8]  r2F / f = -0.980  
[9]  Y’ / f = 0.575    
[10]  tan(θPmax ) = 0.685  
[11]  r3F / r2R = -0.277  
[12]  r3R / f = 1.446  
[13]  r4R / f = -1.505  
[14]  r4F / f = -0.703  
[15]  nd1P = 1.821  
[16]  nd2P = 1.883                                                。
【００５５】
「実施例７」
実施例７は、図７にレンズ構成を示したものである。  
f = 23.42,F = 2.88,ω = 30.9  
面番号      R        D       Nd       νd     Pg,F     硝種名 
01*       9.393     2.12   1.82080   42.71   0.5642   HOYA M-TAFD51 
02       14.350     0.70   1.69895   30.05   0.6028   HOYA E-FD15 
03        7.440     1.92   
04      -29.751     0.70   1.64769   33.84   0.5923   HOYA E-FD2 
05       22.787     0.10   
06       14.677     2.29   1.88300   40.69   0.5673   HIKARI J-LASF08A
07     -191.434     1.20   
08       絞り       1.20   
09       17.856     2.86   1.88100   40.14   0.5701   HOYA TAFD33 
10       -8.223     0.60   1.67270   32.17   0.5962   HOYA E-FD5  
11       21.102     1.30     
12      -18.000     1.00   1.88202   37.22   0.5769   HOYA M-TAFD307 
13*     -22.111    13.940   
14        ∞         1.40   1.51633   64.14            各種フィルタ 
15        ∞                                                           。
【００５６】
「非球面データ」
非球面のデータは以下の通りである。  
非球面;第1面  
K = 0.0,A4 = -4.08710×10-5,A6 = -4.27926×10-7,A8 = -1.04734×10-8,  
A10 = -1.48266×10-10 
非球面;第13面  
K = 0.0,A4 = 1.88752×10-4,A6 = 9.04904×10-7,A8 = 8.62046×10-8,  
A10 = -1.22399×10-9                                            。
【００５７】
「条件式のパラメータの値」
各条件式のパラメータの値は以下の通りである。  
[1]  L / f = 1.368  
[2]  DT / f = 0.683  
[3]  f1P / f = 1.186  
[4]  r1F / f = 0.401  
[5]  r1F / r1R = 1.263  
[6]  f4 / f1 = 0.191  
[7]  f1-2 / f3-4 = 3.114  
[8]  r2F / f = -1.270  
[9]  Y’ / f = 0.606  
[10]  tan(θPmax ) = 0.703
[11]  r3F / r2R = -0.093  
[12]  r3R / f = 0.901  
[13]  r4R / f = -0.944  
[14]  r4F / f = -0.769  
[15]  nd1P = 1.821  
[16]  nd2P = 1.883                                        。
【００５８】
「実施例８」
実施例８は、図８にレンズ構成を示したものである。
【００５９】
f = 26.04,F = 2.88,ω = 28.3  
面番号     R         D       Nd       νd     Pg,F     硝種名
01*       9.572     2.78   1.85400   40.38   0.5688   OHARA L-LAH85V 
02       24.829     0.70   1.78880   28.43   0.6009   OHARA S-NBH58 
03        7.822     2.23    
04      -22.140     0.70   1.56732   42.82   0.5731   OHARA S-TIL26 
05       53.236     0.10   
06       18.531     1.89   1.88300   40.76   0.5667   OHARA S-LAH58 
07      -24.000     0.60   1.80000   29.84   0.6017   OHARA S-NBH55
08     -116.418     1.20    
09        絞り      1.20    
10       12.474     2.36   1.74100   52.64   0.5467   OHARA S-LAL61 
11       -8.112     0.60   1.54072   47.23   0.5651   OHARA S-TIL2
12       11.685     1.14   
13      -17.538     1.00   1.86100   37.10   0.5785   OHARA L-LAH94
14*     -19.900    14.581       
15         ∞       1.40   1.51633   64.14            各種フィルタ
16         ∞                                                           。
【００６０】
「非球面データ」
非球面のデータは以下の通りである。  
非球面;第1面
K = 0.0,A4 = -2.62065×10-5,A6 = -5.73136×10-7,A8 = 5.83843×10-9,  
A10 = -2.15266×10-10 
非球面;第14面  
K = 0.0,A4 = 1.29178×10-4,A6 = -4.77236×10-7,A8 = 6.42635×10-8,  
A10 = -9.22759×10-10                                              。
【００６１】
「条件式のパラメータの値」
各条件式のパラメータの値は以下の通りである。  
[1]  L / f = 1.274  
[2]  DT / f = 0.634  
[3]  f1P / f = 0.646  
[4]  r1F / f = 0.368  
[5]  r1F / r1R = 1.224  
[6]  f4 / f1 = -0.232  
[7]  f1-2 / f3-4 = 1.023  
[8]  r2F / f = -0.850  
[9]  Y’ / f = 0.545  
[10]  tan (θPmax ) = 0.665  
[11]  r3F / r2R = -0.224  
[12]  r3R / f = 1.239  
[13]  r4R / f = -0.975  
[14]  r4F / f = -0.691  
[15]  nd1P = 1.854  
[16]  nd2P = 1.883                                                。
【００６２】
「実施例９」
実施例９は、図９にレンズ構成を示したものである。
【００６３】
f = 26.06,F = 2.88,ω = 28.3
面番号     R        D      Nd        νd     Pg,F      硝種名
01*       9.718    2.85   1.85400   40.38   0.5688    OHARA L-LAH85V
02       28.191    0.70   1.78880   28.43   0.6009    OHARA S-NBH58 
03        7.936    2.26   
04      -23.765    0.70   1.56732   42.82   0.5731    OHARA S-TIL26 
05       55.698    0.10   
06       20.822    0.60   1.68893   31.07   0.6004    OHARA S-TIM28 
07       11.777    1.83   1.88300   40.76   0.5667    OHARA S-LAH58
08     -139.566    1.20     
09        絞り     1.20      
10       27.121    2.36   1.73400   51.47   0.5486    OHARA S-LAL59
11       -8.707    0.60   1.54814   45.78   0.5686    OHARA S-TIL1 
12       36.884    1.10     
13      -18.000    1.00   1.86100   37.10   0.5785    OHARA L-LAH94
14*     -25.049   14.581   
15        ∞       1.40   1.51633   64.14             各種フィルタ
16        ∞                                                           。
【００６４】
「非球面データ」
非球面のデータは以下の通りである。  
非球面;第1面  
K = 0.0,A4 = -2.46254×10-5,A6 = -5.56469×10-7,A8 = 5.71488×10-9,  
A10 = -1.90619×10-10
非球面;第14面
K = 0.0,A4 = 1.30813×10-4,A6 = -3.50965×10-7,A8 = 5.51796×10-8,  
A10 = -7.69857×10-10                                              。
【００６５】
「条件式のパラメータの値」
各条件式のパラメータの値は以下の通りである。  
[1]  L / f = 1.276  
[2]  DT / f = 0.633  
[3]  f1P / f = 0.622  
[4]  r1F / f = 0.373  
[5]  r1F / r1R = 1.225  
[6]  f4 / f1 = -0.258  
[7]  f1-2 / f3-4 = 0.998  
[8]  r2F / f = -0.912  
[9]  Y’ / f = 0.545  
[10]  tan(θPmax ) = 0.663  
[11]  r3F / r2R = -0.194  
[12]  r3R / f = 1.416  
[13]  r4R / f = -0.961  
[14]  r4F / f = -0.691  
[15]  nd1P = 1.854  
[16]  nd2P = 1.883                                                    。
【００６６】
「実施例１０  
実施例１０は、図１０にレンズ構成を示したものである。
【００６７】
f = 26.05,F = 2.88,ω = 28.3  
面番号      R        D        Nd        νd     Pg,F     硝種名  
01*        9.067     2.47    1.85400   40.38   0.5688   OHARA L-LAH85V
02        16.326     0.70    1.76182   26.52   0.6136   OHARA S-TIH14
03         7.495     2.33      
04       -22.619     0.70    1.63980   34.47   0.5922   OHARA S-TIM27
05        60.949     0.10  
06        19.213     1.68    1.88300   40.69   0.5673   HIKARI J-LASF08A
07       -77.308     1.20         
08         絞り      1.20        
09        23.071     2.42    1.72000   50.23   0.5521   OHARA S-LAL10
10        -8.936     0.60    1.54814   45.78   0.5686   OHARA S-TIL1
11        34.120     1.12          
12       -18.290     0.70    1.67270   32.17   0.5962   HOYA E-FD5
13      -897.000     1.29    1.88202   37.22   0.5769   HOYA M-TAFD307
14*      -35.676    14.581     
15          ∞       1.40    1.51633   64.14               各種フィルタ
16          ∞                                                        。
【００６８】
「非球面データ」
非球面のデータは以下の通りである。  
非球面;第1面  
K = 0.0,A4 = -2.57013×10-5,A6 = -5.79335×10-7,A8 = 5.88906×10-9,  
A10 = -2.51234×10-10 
非球面;第14面  
K = 0.0,A4 = 1.20805×10-4,A6 = -1.48753×10-7,A8 = 3.11246×10-8,  
A10 = -3.68347×10-10                                        。
【００６９】
「条件式のパラメータの値」
各条件式のパラメータの値は以下の通りである。  
[1]  L / f = 1.273  
[2]  DT / f = 0.634  
[3]  f1P / f = 0.792  
[4]  r1F / f = 0.348  
[5]  r1F / r1R = 1.210  
[6]  f4 / f1 = -0.351  
[7]  f1-2 / f3-4 = 1.183  
[8]  r2F / f = -0.868  
[9]  Y’ / f = 0.545  
[10]  tan(θPmax ) = 0.650  
[11]  r3F / r2R = -0.298  
[12]  r3R / f = 1.310  
[13]  r4R / f = -1.370  
[14]  r4F / f = -0.702  
[15]  nd1P = 1.854  
[16]  nd2P = 1.883                                        。
【００７０】
これら実施例１ないし実施例１１において、第１レンズ群の屈折力は、実施例１および実施例７において「負」、他の実施例において「正」である。
【００７１】
上記実施例１ないし実施例１０に関する収差図（球面収差、歪曲収差、非点収差およびコマ収差の図）を順次、図１１ないし図２０に示す。  
球面収差の図中の破線は「正弦条件」を表す。非点収差の図中の実線は「サジタル」、破線は「メリディオナル」を表す。  
各収差図に示されたように、実施例１ないし実施例１０の結像レンズは何れも、各収差が高いレベルで補正され、球面収差、軸上色収差は非常に小さい。  
非点収差、像面湾曲、倍率色収差も十分に小さく、コマ収差やその色差の乱れも最周辺部まで良く抑えられており、歪曲収差も絶対値で１．５％以下となっている。  
即ち、実施例１ないし実施例１０の結像レンズは、半画角が２５〜３３度程度と準広角の領域で、Ｆナンバが３．０未満と大口径でありながら、レンズ全長・レンズ総厚・レンズ径の全てにおいて小型化が達成され、非常に良好な像性能を有し、解像力は２４００万画素以上の撮像素子に対応可能である。
【００７２】
以下に、図２１および図２２を参照して「カメラもしくは携帯情報端末装置」の実施の形態を説明する。  
以下に説明する装置３０は「情報の送信」が可能であり、従って、携帯情報端末装置であるが、カメラ機能を備えており、このカメラ機能部の撮影用光学系として、請求項１ないし１０の何れかの結像レンズ、具体的には、実施例１ないし１０の何れかの結像レンズが用いられる。
【００７３】
図２２のシステム図に示すように、携帯情報端末装置３０におけるカメラ機能部は、撮影用光学系として結像レンズ３１と撮像素子（エリアセンサ）である受光素子４５を有し、結像レンズ３１によって形成される撮影対象物の像を受光素子４５上に結像させ、受光素子４５により読み取るように構成されている。  
受光素子４５からの出力は中央演算装置４０の制御を受ける信号処理装置４２によって処理されてデジタル情報に変換される。信号処理装置４２によってデジタル化された画像情報は、中央演算装置４０の制御を受ける画像処理装置４１において所定の画像処理を受けた後、半導体メモリ４４に記録される。  
液晶モニタ３８には撮影中の画像を表示することもできるし、半導体メモリ４４に記録されている画像を表示することもできる。また、半導体メモリ４４に記録した画像は通信カード等４３を使用して外部へ送信することも可能である。  
図２１を参照すると、結像レンズ３１は装置携帯時には、図２１（ａ）に示すように沈胴状態にあり、ユーザが電源スイッチ３６（図２１（ｃ））を操作して電源を入れると、図２１（ｂ）に示すように鏡胴が繰り出される。
【００７４】
シャッタボタン３５の半押しによりフォーカシングがなされる。フォーカシングは、結像レンズ全体の光軸方向の移動によって行うこともできるし、受光素子４５の移動によっても行うことができる。シャッタボタン３５をさらに押し込むと撮影がなされ、その後は上述の処理がなされる。
【００７５】
半導体メモリ４４に記録した画像を液晶モニタ３８に表示したり、通信カード等４３を使用して外部へ送信する際には、操作ボタン３７の操作により行う。半導体メモリ４４および通信カード等４３は，それぞれ専用または汎用のスロット１０Ａ、３０Ｂに挿入して使用される。
【００７６】
なお、結像レンズが沈胴状態にあるとき、結像レンズの各レンズ群は必ずしも光軸上に並んでいなくても良く、例えば、第２レンズ群ＩＩが光軸上から退避して、第１レンズ群Ｉと並列に収納されるような機構とすれば、装置のさらなる薄型化を実現できる。
【００７７】
結像レンズとして、この発明のものを用いることにより、２４００万画素以上の受光素子を使用した高画質で小型のカメラ（携帯情報端末装置）を実現できる。
【００７８】
以上、発明の好ましい実施の形態について説明したが、この発明は上述した特定の実施形態に限定されるものではなく、上述の説明で特に限定していない限り、特許請求の範囲に記載された発明の趣旨の範囲内において、種々の変形・変更が可能である。  
この発明の実施の形態に記載された効果は、発明から生じる好適な効果を列挙したに過ぎず、発明による効果は「実施の形態に記載されたもの」に限定されるものではない。
【符号の説明】
【００７９】
Ａｘ      結像レンズの光軸  
Ｉ        第１レンズ群  
ＩＩ      第２レンズ群  
ＩＩＩ    第３レンズ群  
ＩＶ      第４レンズ群  
Ｓ        開口絞り  
Ｆ        各種フィルタ  
Ｉｍ      像面  
【先行技術文献】
【特許文献】
【００８０】
【特許文献１】特開平  ０７−２７０６７９号公報
【特許文献２】特開２０１３−１９５５８７号公報
【図１】
2020144271.tif 000003
【図２】
2020144271.tif 000004
【図３】
2020144271.tif 000005
【図４】
2020144271.tif 000006
【図５】
2020144271.tif 000007
【図６】
2020144271.tif 000008
【図７】
2020144271.tif 000009
【図８】
2020144271.tif 000010
【図９】
2020144271.tif 000011
【図１０】
2020144271.tif 000012
【図１１】
2020144271.tif 000013
【図１２】
2020144271.tif 000014
【図１３】
2020144271.tif 000015
【図１４】
2020144271.tif 000016
【図１５】
2020144271.tif 000017
【図１６】
2020144271.tif 000018
【図１７】
2020144271.tif 000019
【図１８】
2020144271.tif 000020
【図１９】
2020144271.tif 000021
【図２０】
2020144271.tif 000022
【図２１】
2020144271.tif 000023
【図２２】
2020144271.tif 000024